(57)【要約】【課題】  小型化を図ることが可能な中間転写式熱転写プリンタを提供する。【解決手段】加熱ローラ駆動源１９の駆動力を、転写動作時に加熱ローラ圧接機構１７に伝達し、転写待機時に加熱ローラ回転機構１８に伝達するように切り替える切替ユニット２０を有する。切替ユニット２０は、ソレノイド２１と、前記駆動力を加熱ローラ圧接機構１７および加熱ローラ回転機構１８に伝達する伝達手段２２とを有し、ソレノイド２１のＯＮ・ＯＦＦ動作によって加熱ローラ駆動源１９を移動させ、伝達手段２２の配置位置を駆動力が加熱ローラ回転機構１８に伝達される回転位置と加熱ローラ圧接機構１７に伝達される圧接位置とに切り替える。【選択図】図２
2011156701.tif 000002
【特許請求の範囲】
【請求項１】
被転写媒体の搬送経路に臨む位置に配設される回転可能な加熱ローラと、前記加熱ローラを前記被転写媒体に対して圧接する方向に移動させる加熱ローラ圧接機構と、前記加熱ローラの表面温度を一定に保持するために前記加熱ローラを回転させる加熱ローラ回転機構とを有する再転写手段によって、インクを転写することにより一次画像が形成された中間転写媒体を介して前記被転写媒体に前記加熱ローラを圧接することにより、前記一次画像を前記被転写媒体に再転写する中間転写式熱転写プリンタであって、
前記加熱ローラ圧接機構および前記加熱ローラ回転機構を駆動する加熱ローラ駆動源と、
前記加熱ローラ駆動源の駆動力を、前記再転写手段の転写動作時には前記加熱ローラ圧接機構に伝達し、前記再転写手段の転写待機時には前記加熱ローラ回転機構に伝達するように切り替える切替ユニットとを有しており、
前記切替ユニットは、プランジャを備えたソレノイドと、前記プランジャが連結された前記加熱ローラ駆動源と、前記加熱ローラ駆動源の駆動力を前記加熱ローラ圧接機構および前記加熱ローラ回転機構に伝達する伝達手段とを有し、
前記ソレノイドのＯＮ・ＯＦＦ動作による前記プランジャの進退移動によって、前記加熱ローラ駆動源を移動させることにより、前記伝達手段の配置位置を、前記駆動力が前記加熱ローラ回転機構に伝達される回転位置と前記加熱ローラ圧接機構に伝達される圧接位置とに切り替えることを特徴とする中間転写式熱転写プリンタ。
【請求項２】
前記切替ユニットによって、前記伝達手段が前記回転位置に配置されている時に、前記加熱ローラを前記被転写媒体から離間した位置に移動させる移動部材を有し、
前記ソレノイドのＯＦＦ動作時に、前記伝達手段を回転位置に切り替えることを特徴とする請求項１に記載の中間転写式熱転写プリンタ。
【請求項３】
前記加熱ローラの温度を検知する温度検知手段を有しており、
前記温度検知手段によって、前記加熱ローラの表面温度が過度の高温状態であることが検出されると、前記加熱ローラに対する加熱動作を停止するとともに、前記切替ユニットによって、前記伝達手段を前記回転位置に切り替えることを特徴とする請求項２に記載の熱転写プリンタ。
【発明の詳細な説明】
【技術分野】
【０００１】
本発明は、加熱ローラによって中間転写媒体を加熱し、中間転写媒体に形成された一次画像を被転写媒体に再転写することにより記録を行う中間転写式熱転写プリンタに関する。
【背景技術】
【０００２】
従来より、所望のインクを転写して中間転写媒体上に一次画像を形成した後、加熱ローラによって中間転写媒体を加熱し、中間転写媒体に形成された一次画像を被転写媒体に再転写、定着させることにより、被転写媒体上に記録を行う中間転写式熱転写プリンタが、文字等を含む画像の記録装置として用いられている（例えば、特許文献１参照）。
【０００３】
従来の中間転写式熱転写プリンタは、プラテンローラと、中間転写媒体およびインクを介してプラテンローラに対向する位置に配設されるサーマルヘッドとを備えた転写手段を有している。転写手段は、中間転写媒体およびインクを介してサーマルヘッドをプラテンローラに圧接して中間転写媒体にインクを転写することにより中間転写媒体上に一次画像を形成するようになっている。
【０００４】
中間転写媒体の搬送方向における転写手段の下流側には、前記一次画像が形成された中間転写媒体を介して被転写媒体に対向する位置に配設された加熱ローラを備えた再転写手段が配設されており、再転写手段は、加熱ローラを被転写媒体に対して圧接する方向に移動させる加熱ローラ圧接機構を有している。そして、再転写手段は、加熱ローラ圧接機構によって中間転写媒体を介して加熱ローラを被転写媒体に圧接し、中間転写媒体に形成された一次画像を被転写媒体に再転写することにより、被転写媒体に記録を行うようになっている。
【０００５】
ここで、従来の中間転写式熱転写プリンタにおいては、加熱ローラの表面温度を均一にするため、再転写手段の転写待機時に、加熱ローラを回転させる必要があった。このため、加熱ローラを回転させる加熱ローラ回転機構を有する再転写手段が考えられている。
【先行技術文献】
【特許文献】
【０００６】
【特許文献１】特開平６−３５３５１号公報
【発明の概要】
【発明が解決しようとする課題】
【０００７】
このように、従来の中間転写式熱転写プリンタの再転写手段においては、加熱ローラ圧接機構を駆動するための圧接機構駆動源、および加熱ローラ回転機構を駆動するための回転機構駆動源の２つの駆動源を備える必要があった。このため、中間転写式熱転写プリンタの小型化の妨げとなってしまうという問題を有していた。
【０００８】
また、従来の中間転写式熱転写プリンタの再転写手段においては、加熱ローラが被転写媒体に対して圧接されている状態の時に、例えば停電等により中間転写式熱転写プリンタに対する電源供給が停止してしまうと、高温の加熱ローラが長時間被転写媒体に押し当てられた状態が続いてしまうので、被転写媒体を傷めてしまうとともに、安全上においても問題を有していた。
【０００９】
本発明はこれらの点に鑑みてなされたものであり、小型化を図ることが可能な中間転写式熱転写プリンタを提供することを目的とする。
【００１０】
また、本発明は、高温の加熱ローラが被転写媒体に長時間押し当てられて、被転写媒体が傷められてしまうことを防止することが可能な中間転写式熱転写プリンタを提供することを目的とする。
【課題を解決するための手段】
【００１１】
前記目的を達成するため、本発明に係る中間転写式熱転写プリンタの特徴は、被転写媒体の搬送経路に臨む位置に配設される回転可能な加熱ローラと、前記加熱ローラを前記被転写媒体に対して圧接する方向に移動させる加熱ローラ圧接機構と、前記加熱ローラの表面温度を一定に保持するために前記加熱ローラを回転させる加熱ローラ回転機構とを有する再転写手段によって、インクを転写することにより一次画像が形成された中間転写媒体を介して前記被転写媒体に前記加熱ローラを圧接することにより、前記一次画像を前記被転写媒体に再転写する中間転写式熱転写プリンタであって、前記加熱ローラ圧接機構および前記加熱ローラ回転機構を駆動する加熱ローラ駆動源と、前記加熱ローラ駆動源の駆動力を、前記再転写手段の転写動作時には前記加熱ローラ圧接機構に伝達し、前記再転写手段の転写待機時には前記加熱ローラ回転機構に伝達するように切り替える切替ユニットとを有しており、前記切替ユニットは、プランジャを備えたソレノイドと、前記プランジャが連結された前記加熱ローラ駆動源と、前記加熱ローラ駆動源の駆動力を前記加熱ローラ圧接機構および前記加熱ローラ回転機構に伝達する伝達手段とを有し、前記ソレノイドのＯＮ・ＯＦＦ動作による前記プランジャの進退移動によって、前記加熱ローラ駆動源を移動させることにより、前記伝達手段の配置位置を、前記駆動力が前記加熱ローラ回転機構に伝達される回転位置と前記加熱ローラ圧接機構に伝達される圧接位置とに切り替える点にある。
【００１２】
この本発明に係る中間転写式熱転写プリンタによれば、切替ユニットによって１つの加熱ローラ駆動源の駆動力を転写動作時には加熱ローラ圧接機構に伝達し、転写待機時には加熱ローラ回転機構に伝達するように、駆動力の伝達先を切り替えることができる。これにより、１つの駆動モータによって、加熱ローラ圧接機構と加熱ローラ回転機構とを駆動することが可能となる。
【００１３】
また、本発明に係る中間転写式熱転写プリンタは、前記切替ユニットによって、前記伝達手段が前記回転位置に配置されている時に、前記加熱ローラを前記被転写媒体から離間した位置に移動させる移動部材を有し、前記ソレノイドのＯＦＦ動作時に、前記伝達手段を回転位置に切り替えることが好ましい。これにより、本発明に係る中間転写式熱転写プリンタは、例えば、急な停電時で熱転写プリンタへの電源が停止し、ソレノイドがＯＦＦ状態となった時、伝達手段を回転位置に配置させ、移動部材によって加熱ローラを被転写媒体から離間した位置に移動することができる。このため、再転写手段は、高温の加熱ローラが被転写媒体に長時間押し当てられて、被転写媒体が傷められてしまうことを防止することができる。
【００１４】
さらに、本発明に係る中間転写式熱転写プリンタは、前記加熱ローラの温度を検知する温度検知手段を有しており、前記温度検知手段によって、前記加熱ローラの表面温度が過度の高温状態であることが検出されると、前記加熱ローラに対する加熱動作を停止するとともに、前記切替ユニットによって、前記伝達手段を前記回転位置に切り替えることが好ましい。これにより、本発明に係る中間転写式熱転写プリンタは、伝達手段を回転位置に配置させて転写待機状態とし、加熱ローラを回転させることができるので、過度に加熱された加熱ローラを冷却することができる。
【発明の効果】
【００１５】
以上述べたように、本発明に係る中間転写式熱転写プリンタによれば、１つの加熱ローラ駆動源によって、加熱ローラ圧接機構と加熱ローラ回転機構とを駆動することができ、これにより、中間転写式熱転写プリンタの小型化を図ることが可能となる。
【００１６】
さらに、本発明に係る中間転写式熱転写プリンタによれば、高温の加熱ローラが被転写媒体に長時間押し当てられて、被転写媒体が傷められてしまうことを防止することができる。
【図面の簡単な説明】
【００１７】
【図１】本発明に係る中間転写式熱転写プリンタの一実施形態を示す概略側面断面図
【図２】図１の中間転写式熱転写プリンタにおける再転写手段の転写動作状態を示す側面図
【図３】図２の再転写手段を示す斜視図
【図４】図２の再転写手段の切替ユニット、伝達手段、ギア列、ローラ用ギア、および軸部材用ギアを示す拡大斜視図
【図５】図１の中間転写式熱転写プリンタにおける再転写手段の転写待機状態を示す側面図
【発明を実施するための形態】
【００１８】
以下、本発明に係る中間転写式熱転写プリンタの一実施形態を図１乃至図５を参照して説明する。
【００１９】
図１は、本実施形態に係る中間転写式熱転写プリンタを示す概略図である。
【００２０】
図１に示すように、本実施形態に係る中間転写式熱転写プリンタ１は、中間転写媒体としての中間転写シート２に所望のインクを転写することにより、中間転写シート２に一次画像を形成する転写手段３と、加熱ローラ５により中間転写シート２を普通紙等の被転写媒体６に圧接して一次画像を被転写媒体６に再転写することにより、被転写媒体６に記録を行う再転写手段７とを有している。
【００２１】
転写手段３は、発熱素子を備えたサーマルヘッド９、および複数色のインクが長さ方向に順次塗布されたインクリボン１０を有しており、インクリボン１０の各搬送経路を介してサーマルヘッド９に対向する位置には、プラテンローラ８が配設されている。そして、転写手段３は、インクリボン１０および中間転写シート２を介してサーマルヘッド９の発熱素子をプラテンローラ８に圧接して所望のインクを中間転写シート２に転写することにより、中間転写シート２上に一次画像を形成するようになっている。なお、本実施形態の転写手段３においては、複数色のインクが順次塗布された構成の１つのインクリボン１０を用いて説明しているが、本発明に係る中間転写式熱転写プリンタは本実施形態に限定されるものではない。例えば、それぞれ異なる１色のインクが塗布された複数のインクリボンを用いてもよい。
【００２２】
再転写手段７は、中間転写シート２の搬送方向における転写手段３の下流側に位置し、再転写手段７における中間転写シート２の搬送経路を介して被転写媒体６の搬送経路に臨む位置には、加熱ローラ５が配設されている。図２および図３に示すように、加熱ローラ５の両端部は、それぞれ支持部材１１に回転可能に軸支されている。両支持部材１１は、加熱ローラ５における被転写媒体６の搬送経路の反対側（本実施形態においては上側）に配置された板状部材１２にそれぞれ固着されており、板状部材１２の上面には、複数のばね部材１３を介して被押圧部材１５が配設されている。また、加熱ローラ５の一端部には、ローラ用ギア１６が固着されている。そして、再転写手段７は、一次画像が形成された中間転写シート２を介して被転写媒体６に加熱ローラ５を圧接し、一次画像を被転写媒体６に再転写することにより、被転写媒体６上に記録を行うようになっている。
【００２３】
図２に示すように、再転写手段７における加熱ローラ５の一端側には、加熱ローラ５を被転写媒体６に対して圧接する方向に移動させる加熱ローラ圧接機構１７、および加熱ローラ５の表面温度を一定に保持するために加熱ローラ５を回転させる加熱ローラ回転機構１８を有している。図３に示すように、加熱ローラ圧接機構１７は、被押圧部材１５の上方から押圧する一対の押圧部材１７ａを有しており、両押圧部材１７ａは、軸部材１７ｂによって回動可能に軸支され、軸部材１７ｂの一端部には、軸部材用ギア１７ｃが固着されている。
【００２４】
また、再転写手段７は、加熱ローラ圧接機構１７および加熱ローラ回転機構１８を駆動する加熱ローラ駆動源としての駆動モータ１９を備えた切替ユニット２０を有しており、この切替ユニット２０は、駆動モータ１９の駆動力を、再転写手段７の転写動作時には加熱ローラ圧接機構１７に伝達し、再転写手段７の転写待機時には、加熱ローラ回転機構１８に伝達するように切り替えるようになっている。
【００２５】
さらに、切替ユニット２０は、進退可能なプランジャ２１ａを備えたソレノイド２１と、駆動モータ１９の駆動源の駆動力を加熱ローラ圧接機構１７および加熱ローラ回転機構１８に伝達する伝達手段２２とを有している。
【００２６】
ソレノイド２１のプランジャ２１ａは、駆動モータ１９に連結され、ソレノイド２１のＯＮ・ＯＦＦ動作によって、プランジャ２１ａに連結された駆動モータ１９を回動させることにより、伝達手段２２の配置位置を、駆動力が加熱ローラ回転機構１８に伝達される回転位置と、加熱ローラ圧接機構１７に伝達する圧接位置とに切り替えるようになっている。本実施形態においては、ソレノイド２１のＯＮ動作時にプランジャ２１ａが図示しないコイルを収納する筐体２１ｂ内へ退出する方向に移動して、伝達手段２２を圧接位置に切り替えるようになっており、ソレノイド２１のＯＦＦ動作時にプランジャ２１ａが筐体２１ｂ内から進出する方向に移動して、伝達手段２２を回転位置に切り替えるようになっている。
【００２７】
図４に示すように、伝達手段２２は、駆動モータ１９の駆動軸１９ａに取り付けられたピニオンギア２２ｄと、ピニオンギア２２ｄに噛合する中間ギア２２ｅと、中間ギア２２ｅに連結されたウォーム２２ｃと、ウォーム２２ｃに噛合する第１切替ギア２２ａとを有している。第１切替ギア２２ａは、ウォーム２２ｃに噛合するウォームホイール２２ａａとウォームホイール２２ａａと同軸上において同期的に回転する平ギア２２ａｂとを備えており、ウォーム２２ｃは、ウォームホイール２２ａａに噛合するようになっている。そして、第１切替ギア２２ａは、ピニオンギア２２ｄ、中間ギア２２ｅおよびウォーム２２ｃを介して駆動モータ１９の駆動力が伝達されることにより、回転するようになっている。
【００２８】
第１切替ギア２２ａは、ギア列２３を介して第１切替ギア２２ａの回転駆動力を順次減速して加熱ローラ圧接機構１７の軸部材用ギア１７ｃに伝達するようになっている。ギア列２３は、それぞれ２段ギアとされた第１伝達ギア２３ａ、第２伝達ギア２３ｂ、および第３伝達ギア２３ｃを有している。第１切替ギア２２ａは、伝達手段２２が圧接位置に配置されたときに、第１切替ギア２２ａの平ギア２２ａｂが第１伝達ギア２３ａの大ギア２３ａａに噛合し、この大ギア２３ａａに連設されて同軸上において同期的に回転する第１伝達ギア２３ａの小ギア２３ａｂは、第２伝達ギア２３ｂの大ギア２３ｂａに噛合するようになっている。さらに、この大ギア２３ｂａに連設されて同軸上において同期的に回転する第２伝達ギア２３ｂの小ギア２３ｂｂは、第３伝達ギア２３ｃの大ギア２３ｃａに噛合し、さらに、この大ギア２３ｃａに連設されて同軸上において同期的に回転する第３伝達ギア２３ｃの小ギア２３ｃｂは、軸部材用ギア１７ｃに噛合するようになっている。
【００２９】
そして、図２に示すように、切替ユニット２０は、ソレノイド２１のＯＮ時に駆動モータ１９の駆動力が加熱ローラ圧接機構１７に伝達される圧接位置に伝達手段２２を配置するようになっている。すなわち、切替ユニット２０は、ソレノイド２１のＯＮ時に第１切替ギア２２ａの平ギア２２ａｂが第１伝達ギア２３ａの大ギア２３ａａに噛合される位置に伝達手段２２を移動させ、第１伝達ギア２３ａ、第２伝達ギア２３ｂおよび第３伝達ギア２３ｃを介して、駆動モータ１９の駆動力を軸部材用ギア１７ｃに伝達するようになっている。このように、ソレノイド２１のＯＮ時に伝達手段２２が前記圧接位置に配置されることにより、両押圧部材１７ａは、再転写手段７の転写動作時に、駆動モータ１９の駆動力によって被押圧部材１５に接する方向である下方に回動し、被押圧部材１５を押圧するようになっている。
【００３０】
さらに、伝達手段２２は、第１切替ギア２２ａの回転駆動力をローラ用ギア１６に伝達する第２切替ギア２２ｂを有しており、第２切替ギア２２ｂは、第１切替ギア２２ａの平ギア２２ａｂに噛合されている。
【００３１】
そして、図５に示すように、切替ユニット２０は、ソレノイド２１のＯＦＦ時に駆動モータ１９の駆動力が加熱ローラ回転機構１８に伝達される回転位置に伝達手段２２を配置するようになっている。すなわち、切替ユニット２０は、ソレノイド２１のＯＦＦ時に第１切替ギア２２ａの平ギア２２ａｂに噛合されている第２切替ギア２２ｂがローラ用ギア１６と噛合する位置に伝達手段２２を移動させ、駆動モータ１９の駆動力をローラ用ギア１６に伝達するようになっている。このように、ソレノイド２１のＯＦＦ時に伝達手段２２が前記回転位置に配置されることにより、加熱ローラ５は、再転写手段７の転写待機時に、駆動モータ１９の駆動力によって回転するようになっている。このとき、伝達手段２２の第１切替ギア２２ａは、第１伝達ギア２３ａとの噛合が解除され、第１伝達ギア２３ａ、第２伝達ギア２３ｂ、第３伝達ギア２３ｃは自由状態となる。
【００３２】
さらに、再転写手段７は、伝達手段２２が回転位置に配置されている状態の時に、加熱ローラ５を被転写媒体６から離間した位置に移動させる移動部材として一対の弾性部材２５を有している。両弾性部材２５は、両支持部材１１の先端部側に配設された引っ掛け部２６にそれぞれ取り付けられており、両弾性部材２５の復元力により、伝達手段２２が回転位置に配置されている状態の時に、図５に示すように、両支持部材１１を上方に引き上げることにより、加熱ローラ５を被転写媒体６から離間した位置に移動させるとともに、ローラ用ギア１６を第２切替ギア２２ｂに噛合させるようになっている。
【００３３】
そして、前述のように、ソレノイド２１のＯＦＦ時に伝達手段２２が回転位置に配置されることにより、例えば、急な停電時で熱転写プリンタへの電源が停止し、ソレノイド２１がＯＦＦ状態となると、伝達手段２２が回転位置に配置され、両弾性部材２５の復元力によって加熱ローラ５が被転写媒体６から離間した位置に移動することとなる。これにより、本再転写手段７においては、高温の加熱ローラ５が被転写媒体６や他の部材等に長時間押し当てられ、これらの部材が傷められてしまうことを防止することができる。
【００３４】
さらにまた、再転写手段７は、加熱ローラ５の温度を検知する温度検知手段２７を有しており、温度検知手段２７によって加熱ローラ５の表面温度が過度の高温状態であることが検出されると、加熱ローラ５に対する加熱動作を停止するとともに、切替ユニット２０によって伝達手段２２を回転位置に切り替えるようになっている。ここで、過度の高温状態とは、このような高温状態で再転写動作を続行すると、被転写媒体６への記録品質が低下してしまうような状態をいう。これにより、加熱ローラ５の温度が過度の高温状態となると、加熱ローラ５に対する加熱動作が停止され、伝達手段２２が回転位置に配置されて転写待機状態となるので、加熱ローラ５を回転させることにより過度に加熱された加熱ローラ５を冷却することができる。
【００３５】
次に、本実施形態の作用について説明する。
【００３６】
まず、再転写手段７は、図２に示すように、転写動作時にソレノイド２１をＯＮ状態として、切替ユニット２０の伝達手段２２を圧接位置に配置し、第１切替ギア２２ａの平ギア２２ａｂを第１伝達ギア２３ａの大ギア２３ａａに噛合させる。続いて、再転写手段７は、駆動モータ１９を駆動して駆動軸１９ａを移動させることにより、ピニオンギア２２ｄ、中間ギア２２ｅを介してウォーム２２ｃに噛合されている第１切替ギア２２ａのウォームホイール２２ａａを図２における時計方向に回転させる。これにともない、第１切替ギア２２ａの平ギア２２ａｂに噛合された第１伝達ギア２３ａの大ギア２３ａａは反時計方向に回転し、この大ギア２３ａａの回転にともなって小ギア２３ａｂも反時計方向に回転する。また、第１伝達ギア２３ａの小ギア２３ａｂに噛合された第２伝達ギア２３ｂの大ギア２３ｂａは時計方向に回転し、この大ギア２３ｂａの回転にともなって小ギア２３ｂｂも時計方向に回転する。さらに、第２伝達ギア２３ｂの小ギア２３ｂｂに噛合された第３伝達ギア２３ｃの大ギア２３ｃａは反時計方向に回転し、この大ギア２３ｃａの回転にともなって小ギア２３ｃｂも反時計方向に回転するので、この小ギア２３ｃｂに噛合されている軸部材用ギア１７ｃは時計方向に回転する。さらに、軸部材用ギア１７ｃに軸支された両押圧部材１７ａは、時計方向に回動して押圧部材１７ａを押圧し、加熱ローラ５を下方に移動させることにより、加熱ローラ５は、中間転写シート２を介して被転写媒体６に圧接される。そして、再転写手段７は、加熱ローラ５により中間転写シート２を被転写媒体６に圧接して一次画像を被転写媒体６に再転写することにより、被転写媒体６に記録を行うことができる。
【００３７】
一方、再転写手段７は、図５に示すように、転写待機時にソレノイド２１をＯＦＦ状態として、切替ユニット２０の伝達手段２２を回転位置に配置し、第１切替ギア２２ａの平ギア２２ａｂに噛合された第２切替ギア２２ｂを、弾性部材２５による両支持部材１１の上方への移動にともなって上方に移動したローラ用ギア１６に噛合させる。続いて、再転写手段７は、駆動モータ１９を駆動して、ウォーム２２ｃに噛合されている第１切替ギア２２ａのウォームホイール２２ａａとともに平ギア２２ａｂを回転させ、この平ギア２２ａｂに噛合する第２切替ギア２２ｂを介してローラ用ギア１６を回転させる。そして、ローラ用ギア１６の回転によって、転写待機時に加熱ローラ５を回転させることにより、加熱ローラ５の表面温度を均一とすることができる。
【００３８】
また、伝達手段２２が回転位置に配置されることにより、第１伝達ギア２３ａは第１切替ギア２２ａとの噛合が解除され、第１伝達ギア２３ａ、第２伝達ギア２３ｂ、第３伝達ギア２３ｃおよび軸部材用ギア１７ｃは自由となり、空転状態となる。このため、伝達手段２２が回転位置に配置され、弾性部材２５によって両支持部材１１が上方に引き上げられることにともない被押圧部材１５が上方に移動すると、加熱ローラ接離機構１７の押圧部材１７ａは、図５における反時計方向に回動しながら非押圧部材１５に押し上げられることとなる。
【００３９】
これにより、中間転写式熱転写プリンタ１の再転写手段７は、切替ユニット２０によって１つの駆動モータ１９の駆動力を転写動作時には加熱ローラ圧接機構１７に伝達し、転写待機時には加熱ローラ回転機構１８に伝達するように、駆動力の伝達先を切り替えることができる。これにより、１つの駆動モータ１９によって、加熱ローラ圧接機構１７と加熱ローラ回転機構１８とを駆動することが可能となる。
【００４０】
したがって、１つの駆動モータ１９によって、加熱ローラ圧接機構１７と加熱ローラ回転機構１８とを駆動することにより、中間転写式熱転写プリンタ１の小型化を図ることが可能となる。
【００４１】
また、再転写手段７は、ソレノイド２１のＯＦＦ時に、伝達手段２２を回転位置に配置し、両弾性部材２５によって加熱ローラ５を被転写媒体６から離間する位置に移動させることにより、例えば、急な停電時で中間転写式熱転写プリンタ１への電源が停止し、ソレノイド２１がＯＦＦ状態となった時、伝達手段２２を回転位置に配置させ、両弾性部材２５の復元力によって加熱ローラ５を被転写媒体６から離間した位置に移動することができる。このため、再転写手段７は、高温の加熱ローラ５が被転写媒体６に長時間押し当てられて、被転写媒体６が傷められてしまうことを防止することができる。
【００４２】
さらに、再転写手段７は、温度検知手段２７によって加熱ローラ５の表面温度が過度の高温状態であることが検出されると、加熱ローラ５に対する加熱動作を停止するとともに、切替ユニット２０によって伝達手段２２を回転位置に切り替えることにより、伝達手段２２を回転位置に配置させて転写待機状態とし、加熱ローラ５を回転させることができる。これにより、再転写手段７は、過度に加熱された加熱ローラ５を冷却することができる。
【００４３】
なお、本発明は前記実施形態に限定されるものではなく、必要に応じて種々変更することが可能である。
【符号の説明】
【００４４】
１  中間転写式熱転写プリンタ
２  中間転写シート
３  転写手段
５  加熱ローラ
６  被転写媒体
７  再転写手段
１１  支持部材
１２  板状部材
１３  ばね部材
１５  被押圧部材
１６  ローラ用ギア
１７  加熱ローラ圧接機構
１７ａ  押圧部材
１７ｂ  軸部材
１７ｃ  軸部材用ギア
１８  加熱ローラ回転機構
１９  駆動モータ（加熱ローラ駆動源）
１９ａ  駆動軸
２０  切替ユニット
２１  ソレノイド
２１ａ  プランジャ
２１ｂ  筐体
２２  伝達手段
２２ａ  第１切替ギア
２２ｂ  第２切替ギア
２２ｃ  ウォーム
２２ｄ  ピニオンギア
２２ｅ  中間ギア
２３  ギア列
２３ａ  第１伝達ギア
２３ｂ  第２伝達ギア
２３ｃ  第３伝達ギア
２５  弾性部材
２６  引っ掛け部
２７  温度検知手段
【図１】
2011156701.tif 000003
【図２】
2011156701.tif 000004
【図３】
2011156701.tif 000005
【図４】
2011156701.tif 000006
【図５】
2011156701.tif 000007